(57)【要約】【課題】落下しても損壊しにくく、発熱量も低く、輻射線状の飾り光も発射され、しかも、消費電力も少ない発光ダイオード構造を提供する。【解決手段】凸体ボタン状の発光ダイオードの導電ピンは発光ダイオードの配列台座の導電回路の対応箇所に半田付けられ、二層の光透過カバーの第一層の光透過カバーは上記凸体ボタン状の発光ダイオードのボタン尖端にかぶせられ、また、その第一層の光透過カバーは凸体ボタン状の発光ダイオードのボタン尖端中央に対応して凸形レンズを形成し、その凸形レンズは周囲が突出して、上記凸体ボタン状の発光ダイオードのボタン尖端における透明環状リングにつっかいをし、さらに、第一層の光透過カバーの外に上記二層の光透過カバーの第二層の光透過カバーを追加して設け、その第二層の光透過カバーの内周に透明のインナーギアラックを一体的に配置し、しかも、その第二層の光透過カバーの上中央に凸形レンズを形成している。【選択図】      図３
0003104093.tif 000002
【実用新案登録請求の範囲】
【請求項１】
主として、発光ダイオードの配列台座、複数の凸体ボタン状の発光ダイオード及び二層の光透過カバーからなる発光ユニットの構造において、上記凸体ボタン状の発光ダイオードの導電ピンは発光ダイオードの配列台座の導電回路の対応箇所に半田付けられ、上記二層の光透過カバーの第一層の光透過カバーは上記凸体ボタン状の発光ダイオードのボタン尖端にかぶせられ、また、その第一層の光透過カバーは凸体ボタン状の発光ダイオードのボタン尖端中央に対応して凸形レンズを形成し、その凸形レンズは周囲が突出して、上記凸体ボタン状の発光ダイオードのボタン尖端における透明環状リングにつっかいをし、さらに、上記第一層の光透過カバーの外に上記二層の光透過カバーの第二層の光透過カバーを追加して設け、その第二層の光透過カバーの内周には透明のインナーギアラックを一体的に配置し、しかも、その第二層の光透過カバーの上中央に凸形レンズを形成していることを特徴とする発光ユニットの構造。
【請求項２】
主として、発光ダイオードの配列台座、複数の凸体ボタン状の発光ダイオード及び二層の光透過カバーからなる発光ユニットの構造において、上記凸体ボタン状の発光ダイオードの導電ピンが発光ダイオードの配列台座の導電回路の対応箇所に半田付けられ、上記二層の光透過カバーの第一層の光透過カバーは凸体ボタン状の発光ダイオードのボタン尖端にかぶせられ、また、その第一層の光透過カバーは凸体ボタン状の発光ダイオードのボタン尖端中央に対応して凸形レンズを形成し、その凸形レンズは周囲が突出して、上記凸体ボタン状の発光ダイオードのボタン尖端における透明環状リングにつっかいをすることを特徴とする発光ユニットの構造。
【請求項３】
請求項１記載の発光ユニットの構造において、発光ダイオードの配列台座は、上板、底板、それら上板及び底板の中間に配置した複数の縦方向板からなる重畳された塔形体を形成し、上記縦方向板の両端にジョイント板が形成され、上記上板及び底板において縦方向板を重畳する対応箇所に、ジョイント板を嵌め込むための嵌め孔が加工して設けられ、値複数の縦方向板及び上板にも、凸体ボタン状の発光ダイオードの導電ピンをインサートするための挿入孔を用意し、それら挿入孔の周囲に、導電ピンを折り曲げて半田付けするための導電回路が印刷，製作され、上記底板において複数の縦方向板を設置する箇所の別端に導電筒が突出して設けられ、この導電筒が周知の電球ソケットに嵌めても使えるようにしたことを特徴とする発光ユニットの構造。
【請求項４】
請求項３記載の発光ユニットの構造において、第二層の光透過カバーの開口は底板に封じられ、その開口の内縁に、底板をロックする複数の逆方向フックが突出して設けられていることを特徴とする発光ユニットの構造。
【請求項５】
請求項１記載の発光ユニットの構造において、第一層の光透過カバーの透明環状リングの外縁には、凸体ボタン状の発光ダイオードをロックする逆方向ロックリングが懸垂して突出するように設けられていることを特徴とする発光ユニットの構造。
【請求項６】
請求項１記載の発光ユニットの構造において、凸体ボタン状の発光ダイオードは、チップタイプの発光ダイオード又は柱型のダイオードからなることを特徴とする発光ユニットの構造。
【請求項７】
請求項３記載の発光ユニットの構造において、導電筒は、扁形の導電台座であることを特徴とする発光ユニットの構造。
【考案の詳細な説明】
【技術分野】
【０００１】
本考案は、発光ダイオードを用いた発光ユニットの構造に関するものである。
【背景技術】
【０００２】
発光ユニットは、現代の生活において欠くことのできない大切なものである。発光ユニットは、これを使用することにより、夜空を明るく照らすことができ、このため、自動車などの交通機器の警告表示光、あるいは表示用光として用いられている。
【０００３】
周知の発光ユニットとしては、図８に示される電球がある。この発光ユニットは、導電性の筒状体（口金）１０に、導電性の発熱，発光材質のフィラメント２０が設けられている。また、この筒状体１０の筒口は、逆水滴形のガラス殻体３０で完全に密封させている。この殻体３０のフィラメント２０の入っている密封の空間には、適当な不活性ガスが充填されている。
【特許文献１】特になし。
【考案の開示】
【考案が解決しようとする課題】
【０００４】
しかしながら、上記従来の発光ユニットの構造は、通常の一般的な照明の必要な場所に長い間にわたって使われ、殆ど変更されることなく使用されてきたが、一部の人は、その構造の欠陥を気にしている。なぜならば、従来の発光ユニットは、ガラス殻体３０が落下すれば、破損し易いばかりでなく、点灯時の発熱量，消費電力も大きく、照射される光線も光度の拡大機能がなく、装飾効果も少ないからである。しかも、資源に限りある現今にとって、省エネルギー、耐用及び低発熱性などの要件は、製品設計にあたって、これらの機能がそのまま維持される前提で考えなければならない重要な課題だと言える。このようなことから、従来の発光ユニットは、適切ではないことが分かる。
【０００５】
そこで、本考案は、上記欠点を解決するためになされたものであって、その目的は、落下しても損壊しにくく、発熱量も低く、輻射線状の飾り光も発射され、しかも、消費電力も少ない発光ダイオード構造を提供することにある。
【課題を解決するための手段】
【０００６】
本考案に係る発光ユニットの構造は、上記目的を達成するために、請求項１記載の考案は、主として、発光ダイオードの配列台座、複数の凸体ボタン状の発光ダイオード及び二層の光透過カバーからなる発光ユニットの構造において、上記凸体ボタン状の発光ダイオードの導電ピンは発光ダイオードの配列台座の導電回路の対応箇所に半田付けられ、上記二層の光透過カバーの第一層の光透過カバーは上記凸体ボタン状の発光ダイオードのボタン尖端にかぶせられ、また、その第一層の光透過カバーは凸体ボタン状の発光ダイオードのボタン尖端中央に対応して凸形レンズを形成し、その凸形レンズは周囲が突出して、上記凸体ボタン状の発光ダイオードのボタン尖端における透明環状リングにつっかいをし、さらに、上記第一層の光透過カバーの外に上記二層の光透過カバーの第二層の光透過カバーを追加して設け、その第二層の光透過カバーの内周には透明のインナーギアラックを一体的に配置し、しかも、その第二層の光透過カバーの上中央に凸形レンズを形成していることを特徴としている。
本考案の請求項２に記載の発光ユニットの構造は、主として、発光ダイオードの配列台座、複数の凸体ボタン状の発光ダイオード及び二層の光透過カバーからなる発光ユニットの構造において、上記凸体ボタン状の発光ダイオードの導電ピンが発光ダイオードの配列台座の導電回路の対応箇所に半田付けられ、上記二層の光透過カバーの第一層の光透過カバーは凸体ボタン状の発光ダイオードのボタン尖端にかぶせられ、また、その第一層の光透過カバーは凸体ボタン状の発光ダイオードのボタン尖端中央に対応して凸形レンズを形成し、その凸形レンズは周囲が突出して、上記凸体ボタン状の発光ダイオードのボタン尖端における透明環状リングにつっかいをすることを特徴としている。
本考案の請求項３に記載の発光ユニットの構造は、発光ダイオードの配列台座は、上板、底板、それら上板及び底板の中間に配置した複数の縦方向板からなる重畳された塔形体を形成し、上記縦方向板の両端にジョイント板が形成され、上記上板及び底板において縦方向板を重畳する対応箇所に、ジョイント板を嵌め込むための嵌め孔が加工して設けられ、値複数の縦方向板及び上板にも、凸体ボタン状の発光ダイオードの導電ピンをインサートするための挿入孔を用意し、それら挿入孔の周囲に、導電ピンを折り曲げて半田付けするための導電回路が印刷，製作され、上記底板において複数の縦方向板を設置する箇所の別端に導電筒が突出して設けられ、この導電筒が周知の電球ソケットに嵌めても使えるようにしたことを特徴としている。
本考案の請求項４に記載の発光ユニットの構造は、第二層の光透過カバーの開口は底板に封じられ、その開口の内縁に、底板をロックする複数の逆方向フックが突出して設けられていることを特徴としている。
本考案の請求項５に記載の発光ユニットの構造は、第一層の光透過カバーの透明環状リングの外縁には、凸体ボタン状の発光ダイオードをロックする逆方向ロックリングが懸垂して突出するように設けられていることを特徴としている。
本考案の請求項６に記載の発光ユニットの構造は、凸体ボタン状の発光ダイオードは、チップタイプの発光ダイオード又は柱型のダイオードからなることを特徴としている。
本考案の請求項７に記載の発光ユニットの構造は、導電筒は、扁形の導電台座であることを特徴としている。
【考案の効果】
【０００７】
本考案の請求項１二記載の発光ユニットの構造は、凸体ボタン状の発光ダイオードの導電ピンは発光ダイオードの配列台座の導電回路の対応箇所に半田付けられ、二層の光透過カバーの第一層の光透過カバーは上記凸体ボタン状の発光ダイオードのボタン尖端にかぶせられ、また、その第一層の光透過カバーは凸体ボタン状の発光ダイオードのボタン尖端中央に対応して凸形レンズを形成し、その凸形レンズは周囲が突出して、上記凸体ボタン状の発光ダイオードのボタン尖端における透明環状リングにつっかいをし、さらに、上記第一層の光透過カバーの外に上記二層の光透過カバーの第二層の光透過カバーを追加して設け、その第二層の光透過カバーの内周には透明のインナーギアラックを一体的に配置し、しかも、その第二層の光透過カバーの上中央に凸形レンズを形成しているので、破損しにくく、発熱量も少なく、しかも、消費電力の小さい発光ユニットとすることができる。
本考案の請求項２に記載の発光ユニットの構造は、凸体ボタン状の発光ダイオードの導電ピンが発光ダイオードの配列台座の導電回路の対応箇所に半田付けられ、二層の光透過カバーの第一層の光透過カバーは凸体ボタン状の発光ダイオードのボタン尖端にかぶせられ、また、その第一層の光透過カバーは凸体ボタン状の発光ダイオードのボタン尖端中央に対応して凸形レンズを形成し、その凸形レンズは周囲が突出して、上記凸体ボタン状の発光ダイオードのボタン尖端における透明環状リングにつっかいをするので、発光ダイオード部分の構造を容易に製造することができる。
本考案の請求項３に記載の発光ユニットの構造は、発光ダイオードの配列台座は、上板、底板、それら上板及び底板の中間に配置した複数の縦方向板からなる重畳された塔形体を形成し、上記縦方向板の両端にジョイント板が形成され、上記上板及び底板において縦方向板を重畳する対応箇所に、ジョイント板を嵌め込むための嵌め孔が加工して設けられ、値複数の縦方向板及び上板にも、凸体ボタン状の発光ダイオードの導電ピンをインサートするための挿入孔を用意し、それら挿入孔の周囲に、導電ピンを折り曲げて半田付けするための導電回路が印刷，製作され、上記底板において複数の縦方向板を設置する箇所の別端に導電筒が突出して設けられ、この導電筒が周知の電球ソケットに嵌めても使えるようにしたので、発光ダイオードの配列構造を容易に製造することができる。
本考案の請求項４に記載の発光ユニットの構造は、第二層の光透過カバーの開口は底板に封じられ、その開口の内縁に、底板をロックする複数の逆方向フックが突出して設けられているので、第二層の光透過カバーを容易に底板に取付けることができる。
本考案の請求項５に記載の発光ユニットの構造は、第一層の光透過カバーの透明環状リングの外縁には、凸体ボタン状の発光ダイオードをロックする逆方向ロックリングが懸垂して突出するように設けられているので、第一層の光透過カバーを発光ダイオードに容易に取付けることができる。
本考案の請求項６に記載の発光ユニットの構造は、凸体ボタン状の発光ダイオードは、チップタイプの発光ダイオード又は柱型のダイオードからなるので、周知のダイオードを用いて発光ユニットを構成することができる。
本考案の請求項７に記載の発光ユニットの構造は、導電筒を扁形の導電台座としたので、使用範囲を広めることができる。
【考案を実施するための最良の形態】
【０００８】
図１は、本考案に係る発光ユニットの構造の外観を示す正面図、図２は、その断面図、図３（ａ），（ｂ），（ｃ）は、その分解図である。これら図面から明らかなように、本考案に係る発光ユニットの構造は、主に、発光ダイオードの配列台座４０、複数の凸体ボタン状の発光ダイオード５０，５１，５２、二層の合成樹脂製（プラスチックス製，膠質製）の光透過カバー（第一層の光透過カバー６０，６１，６２，６３、第二層の光透過カバー７０）などの要素から形成されていることが分かる。図３（ａ），（ｂ），（ｃ）に示すように、発光ダイオードの配列台座４０は、上板４４、底板４５、及びこれら板４４，４５間に配置された複数の縦方向板４１，４２，４３を重畳して塔形体を形成している。縦方向板４１，４２，４３の両端には、ジョイント板４１Ａ，４１Ｂ，４２Ａ，４２Ｂが形成されている。上板４４及び底板４５において、縦方向板４１，４２，４３を重畳する対応の箇所に、ジョイント板４１Ａ，４１Ｂ，４２Ａを嵌め込むための嵌め孔４４Ａ，４４Ｂ，４４Ｃ，４５Ａ，４５Ｂ，４５Ｃが設けられている。複数の縦方向板４１，４２，４３及び上板４４には、凸体ボタン状の発光ダイオード５０，５１，５２の導電ピン５０Ａ，５０Ｂ，５１Ａ，５１Ｂ，５２Ａ，５２Ｂをインサート（挿入）するための挿入孔５０Ｃ，５１Ｃ，５２Ｃが設けられている。それら挿入孔５０Ｃ，５１Ｃ，５２Ｃの周囲には、導電ピン５０Ａ，５０Ｂ，５１Ａ，５１Ｂ，５２Ａ，５２Ｂを折り曲げて半田付けするための導電回路（図示せず）が印刷，製作されている。底板４５において、複数の縦方向板４１，４２，４３を設置する箇所と反対の別端には、導電筒（口金）１０が突出して設けられている。この導電筒１０は、周知の電球ソケットに嵌めても使えるように構成されている。
【０００９】
第一層の光透過カバー６０，６１，６２，６３は、個別に凸体ボタン状の発光ダイオード５０，５１，５２にかぶせられる。そして、すべての第一層の光透過カバー６０，６１，６２，６３の外に、さらに、第二層の光透過カバー７０が設けられる。この第二層の光透過カバー７０の内周には、透明のインナーギアラック７１，７２，７３が一体化して配置されている。しかも、第二層の光透過カバー７０の上中央には、凸形レンズ７４が形成されている。また、第二層の光透過カバー７０の開口は、丁度、底板４５により封じられる。この開口の内縁には、底板４５をロックする複数の逆方向フック７５が突出して設けられている。また、熱溶解で、逆方向フック７５の隙間を密封すると、完全に粘着して防水することができる。これにより、図１及び図２に示されるような封じられた形体が構成される。
【００１０】
第一層の光透過カバー６０，６１，６２，６３と複数の凸体ボタン状の発光ダイオード５０，５１，５２との組合せ構造は、皆同じなので、第一層の光透過カバー６０と凸体ボタン状の発光ダイオード５０を例として説明する。図４に示すように、第一層の光透過カバー６０は、凸体ボタン状の発光ダイオード５０のボタン尖端５０Ｄを覆い、また、この第一層の光透過カバー６０は、凸体ボタン状の発光ダイオード５０のボタン尖端５０Ｄ中央に対応していて、凸形レンズ６０Ｂを形成している。凸形レンズ６０Ｂは、周囲が突出していて、凸体ボタン状の発光ダイオード５０のボタン尖端５０Ｄにおける透明環状リング６０Ｃにつっかいとなり、また、透明環状リング６０Ｃの外縁には、凸体ボタン状の発光ダイオード５０をロック（係止）する逆方向のロックリング６０Ｄが懸垂するように突出して設けられている。これにより、大量生産のときには、事前に、凸体ボタン状の発光ダイオード５０に第一層の光透過カバー６０をかぶせておくことができる。また、予備の単一のロットのコンポネットとすることができる。
【００１１】
本考案の実施例（二）は図５（ａ），（ｂ）に示されている。ここにおける第一層の光透過カバー６０は、数多の凸体ボタン状の発光ダイオード５０を配列して形成する警告又は表示用の光板のカバー６４が採用されている。また、第一層の光透過カバー６４は凸体ボタン状の発光ダイオード５０のボタン尖端５０Ｄ中央に対応して、凸形レンズ６４Ａが形成されている。凸形レンズ６４Ａは、周囲が突出してあるので、凸体ボタン状の発光ダイオード５０のボタン尖端５０Ｄにおける透明環状リング６４Ｂにつっかいとなり、それで、大きな面積の発光体を形成することができる。
【００１２】
本考案の実施例（三）は、図７（ａ），（ｂ）に示されている。ここで、凸体ボタン状の発光ダイオードは、図面に示すように、チップタイプ（小片タイプ）の発光ダイオード５０１，５１１，５２１、又は、図８（ａ），（ｂ）に示されるように、例えば５ｍｍの柱型のダイオード５０２，５１２，５２２を採用することができる。なお、導電筒は、扁形の導電台座に取り換えられてもよい。
【図面の簡単な説明】
【００１３】
【図１】本考案に係る発光ユニットの構造の外観を示す正面図である。
【図２】本考案に係る発光ユニットの構造を示す断面図である。
【図３】（ａ）は、本考案に係る発光ユニットの構造を示す分解図、（ｂ）は、同図（ａ）のＡ−Ａ線矢視図、（ｃ）は、同図（ａ）のＢ−Ｂ線矢視図である。
【図４】本考案に係る発光ユニットの構造において、ボタン状のダイオードに、第一層の光透過カバーをかぶせることを示す図面である。
【図５】（ａ）は、本考案に係る発光ユニットの構造の実施例（二）の斜視図、（ｂ）は、同図（ａ）の丸印部分の拡大断面図である。
【図６】（ａ）は、本考案に係る発光ユニットの構造の実施例（三）の分解図、（ｂ）は、同図（ａ）のＣ−Ｃ線矢視図である。
【図７】（ａ）は、図６のチップタイプのダイオードを柱型ダイオードとしたときの分解図、（ｂ）は、同図（ａ）のＤ−Ｄ線矢視図である。
【図８】従来からの既存の発光ユニットである電球を示す正面図である。
【符号の説明】
【００１４】
１０  導電筒（口金）
２０  フィラメント
３０  ガラス殻体
４０  発光ダイオードの配列台座
５０，５１，５２  凸体ボタン状の発光ダイオード
６０，６１，６２，６３  第一層の光透過カバー
７０  第二層の光透過カバー
４４  上板
４５  底板
４１，４２，４３  縦方向板
４１Ａ，４１Ｂ，４２Ａ，４２Ｂ  ジョイント板
４４Ａ，４４Ｂ，４４Ｃ，４５Ａ，４５Ｂ，４５Ｃ  嵌め孔
５０Ａ，５０Ｂ，５１Ａ，５１Ｂ，５２Ａ，５２Ｂ  導電ピン
５０Ｃ，５１Ｃ，５２Ｃ  挿入孔
７４、６０Ｂ  凸体レンズ
５０Ｄ  発光ダイオードのボタン尖端
７５  逆方向フック
６０Ｄ  逆方向ロックリング
６０Ｃ、６４Ｂ  透明環状リング
５０１，５１１，５２１  チップ型ダイオード
５０２，５１２，５２２  柱型ダイオード
【図１】
0003104093.tif 000003
【図２】
0003104093.tif 000004
【図３】
0003104093.tif 000005
【図４】
0003104093.tif 000006
【図５】
0003104093.tif 000007
【図６】
0003104093.tif 000008
【図７】
0003104093.tif 000009
【図８】
0003104093.tif 000010